(57)【要約】【課題】画像を表示不能な画面が存在する場合でも、文字列の一部が表示されないことを防ぐ。【解決手段】画像処理部２３０は、マルチ画面１０Ａにおいて表示不能状態の画面１０が存在する場合、表示対象文字列の表示対象となる、当該マルチ画面１０Ａにおける表示可能状態のｎ個の画面１０の位置に基づいて、当該ｎ個の画面１０にわたって前記表示対象文字列を表示するための画像を生成する。【選択図】図１
2016102917.tif 000002
【特許請求の範囲】
【請求項１】
画面を有するｍ（３以上の整数）台のディスプレイから構成されるマルチディスプレイを制御する画像処理装置であって、
前記ｍ台のディスプレイは、当該ｍ台のディスプレイの画面により矩形のマルチ画面が構成されるように、配置され、
前記画像処理装置は、前記マルチ画面を構成するｍ個の画面の全てまたは一部において表示対象とされている複数の文字から構成される文字列である表示対象文字列を使用した処理を行う機能を有し、
前記画像処理装置は、
前記マルチ画面を構成するｍ個の画面の各々の状態が、（ａ１）当該画面が画像を表示可能な表示可能状態、および、（ａ２）当該画面が画像を表示不能な表示不能状態のいずれであるか管理している状態管理部と、
前記マルチ画面において前記表示不能状態の画面が存在する場合、前記ｍ個の画面の全てまたは一部のうち、前記表示対象文字列の表示対象となる、当該マルチ画面における前記表示可能状態のｎ（２≦ｎ＜ｍ）個の画面の位置に基づいて、当該ｎ個の画面にわたって当該表示対象文字列を表示するための画像を生成する画像処理部と、を備える
画像処理装置。
【請求項２】
前記画像処理部は、
（ｂ１）前記マルチ画面において前記表示不能状態の画面が存在する場合、前記表示対象文字列の表示対象となる、前記表示可能状態のｎ個の画面にわたって当該表示対象文字列を表示するための画像を生成し、
（ｂ２）前記マルチ画面において前記表示不能状態の画面が存在しない場合、当該マルチ画面を構成するｍ個の画面のうち、前記表示対象文字列の表示対象となるｐ（２≦ｐ≦ｍ）個の画面にわたって当該表示対象文字列を表示するための画像を生成する
請求項１に記載の画像処理装置。
【請求項３】
前記画像処理部は、
（ｃ１）前記表示不能状態の画面が存在し、かつ、前記表示可能状態のｒ（２≦ｒ＜ｍ）個の画面が存在する場合、当該ｒ個の画面のうち、最も大きな領域を形成する隣接するｓ（２≦ｓ＜ｒ，ｓ＝ｎ）個の画面を、前記表示対象文字列の表示対象の画面に設定し、
（ｃ２）前記ｓ個の画面の位置に基づいて、当該ｓ個の画面にわたって前記表示対象文字列を表示するための画像を生成する
請求項１に記載の画像処理装置。
【請求項４】
前記画像処理部は、前記ｍ個の画面の少なくとも１つの画面の状態が、前記表示可能状態から前記表示不能状態に変化することにより当該表示不能状態の画面が存在する場合、当該表示不能状態の画面の位置に基づいて、前記ｎ個の画面における前記表示対象文字列の表示形態を決定する
請求項１に記載の画像処理装置。
【請求項５】
前記画像処理装置は、前記ｍ個の画面の少なくとも１つの画面の状態が、前記表示可能状態から前記表示不能状態に変化することにより当該表示不能状態の画面が存在する場合、前記表示対象文字列の複数の表示形態のいずれかを選択するための選択操作を受付けるユーザーインターフェースから、当該選択操作により選択された当該表示形態を示す選択指示を受信する
請求項１に記載の画像処理装置。
【請求項６】
前記画像処理部は、動作モードである第１モード、第２モード、第３モードおよび第４モードのいずれかを選択するための選択操作を受付けるユーザーインターフェースから、当該選択操作により選択された当該動作モードを示す選択指示を受信し、
前記第１モードは、前記表示対象文字列の表示対象となる、前記表示可能状態のｎ個の画面にわたって当該表示対象文字列を表示するための画像を生成する処理が関連付けられた動作モードであり、
前記第２モードは、
（ｄ１）前記表示可能状態のｒ（２≦ｒ＜ｍ）個の画面が存在する場合、当該ｒ個の画面のうち、最も大きな領域を形成する隣接するｓ（２≦ｓ＜ｒ，ｓ＝ｎ）個の画面を、前記表示対象文字列の表示対象の画面に設定する処理と、
（ｄ２）前記ｓ個の画面の位置に基づいて、当該ｓ個の画面にわたって前記表示対象文字列を表示するための画像を生成する処理とが関連付けられた動作モードであり、
前記第３モードは、前記表示不能状態の画面の位置に基づいて、前記ｎ個の画面における前記表示対象文字列の表示形態を決定する処理が関連付けられた動作モードであり、
前記第４モードは、前記表示対象文字列の複数の表示形態のいずれかを選択可能とするための処理が関連付けられた動作モードであり、
前記画像処理部は、前記表示不能状態の画面が存在する場合、前記選択指示が示す動作モードに関連付けられた処理を行う
請求項１に記載の画像処理装置。
【請求項７】
請求項１から６のいずれか１項に記載の画像処理装置と、
前記画像処理装置により制御される前記マルチディスプレイとを備える
マルチディスプレイシステム。
【発明の詳細な説明】
【技術分野】
【０００１】
本発明は、複数の画面にわたって文字列を表示する画像処理装置およびマルチディスプレイシステムに関する。
【背景技術】
【０００２】
画面を有する複数のディスプレイが、１つのマルチ画面を構成するように、例えば、行列状に配置して構成されるマルチディスプレイシステムは、電力、交通、プラント等のインフラ分野の監視に用いられている。
【０００３】
特許文献１では、複数の画面（ディスプレイ）にわたって、１つの文字列を表示する技術（以下、「関連技術Ａ」ともいう）が開示されている。
【０００４】
また、特許文献２にも、複数の画面にわたって、１つの文字列を表示する技術（以下、「関連技術Ｂ」ともいう）が開示されている。具体的には、関連技術Ｂでは、表示対象の文字列毎に、適正な表示形態またはスクロール速度を決定することにより、文字列の視認性を向上させる。また、関連技術Ｂでは、ディスプレイに対するユーザーの視聴距離に応じて、適正な表示形態で文字列を表示する。
【先行技術文献】
【特許文献】
【０００５】
【特許文献１】特許第４３５８２５７号公報
【特許文献２】特許第５５５０７３６号公報（図２６）
【発明の概要】
【発明が解決しようとする課題】
【０００６】
一般に、複数の画面にわたって、複数の文字から構成される文字列を表示する構成において、当該複数の画面のうちのいずれかの画面が文字を表示不能な状態になった場合、表示されない文字が発生するという問題点がある。関連技術Ａ，Ｂでは、上記問題点を解決する技術が開示されていない。
【０００７】
本発明は、このような問題を解決するためになされたものであり、複数の画面にわたって文字列を表示する構成において画像を表示不能な画面が存在する場合でも、当該文字列の一部が表示されないことを防ぐことが可能な画像処理装置およびマルチディスプレイシステムを提供することを目的とする。
【課題を解決するための手段】
【０００８】
上記目的を達成するために、本発明の一態様に係る画像処理装置は、画面を有するｍ（３以上の整数）台のディスプレイから構成されるマルチディスプレイを制御する。前記ｍ台のディスプレイは、当該ｍ台のディスプレイの画面により矩形のマルチ画面が構成されるように、配置され、前記画像処理装置は、前記マルチ画面を構成するｍ個の画面の全てまたは一部において表示対象とされている複数の文字から構成される文字列である表示対象文字列を使用した処理を行う機能を有し、前記画像処理装置は、前記マルチ画面を構成するｍ個の画面の各々の状態が、（ａ１）当該画面が画像を表示可能な表示可能状態、および、（ａ２）当該画面が画像を表示不能な表示不能状態のいずれであるか管理している状態管理部と、前記マルチ画面において前記表示不能状態の画面が存在する場合、前記ｍ個の画面の全てまたは一部のうち、前記表示対象文字列の表示対象となる、当該マルチ画面における前記表示可能状態のｎ（２≦ｎ＜ｍ）個の画面の位置に基づいて、当該ｎ個の画面にわたって当該表示対象文字列を表示するための画像を生成する画像処理部と、を備える。
【発明の効果】
【０００９】
本発明によれば、画像処理部は、前記マルチ画面において前記表示不能状態の画面が存在する場合、前記表示対象文字列の表示対象となる、当該マルチ画面における前記表示可能状態のｎ個の画面の位置に基づいて、当該ｎ個の画面にわたって前記表示対象文字列を表示するための画像を生成する。
【００１０】
これにより、画像を表示不能な画面が存在する場合でも、文字列（表示対象文字列）の一部が表示されないことを防ぐことができる。
【図面の簡単な説明】
【００１１】
【図１】本発明の実施の形態１に係るマルチディスプレイシステムの構成を示すブロック図である。
【図２】テロップ情報の一例を示す図である。
【図３】画面状態情報の一例を示す図である。
【図４】複数の画面においてテロップが表示される状態を説明するための図である。
【図５】本発明の実施の形態１に係る文字列表示処理Ｎのフローチャートである。
【図６】文字列表示処理Ｎを説明するための図である。
【図７】画面状態情報の一例を示す図である。
【図８】テロップ情報の一例を示す図である。
【図９】本発明の実施の形態２に係る文字列表示処理Ａのフローチャートである。
【図１０】文字列表示処理Ａを説明するための図である。
【図１１】テロップ情報の一例を示す図である。
【図１２】画面状態情報の一例を示す図である。
【図１３】画面状態情報の一例を示す図である。
【図１４】テロップ情報の一例を示す図である。
【図１５】テロップ情報の一例を示す図である。
【図１６】本発明の実施の形態３に係る文字列表示処理Ｂのフローチャートである。
【図１７】文字列表示処理Ｂを説明するための図である。
【図１８】画面状態情報の一例を示す図である。
【図１９】テロップ情報の一例を示す図である。
【図２０】本発明の実施の形態４に係る文字列表示処理Ｃのフローチャートである。
【図２１】モード選択画像としての選択要求画像の一例を示す図である。
【図２２】本発明の実施の形態５に係る文字列表示処理Ｄのフローチャートである。
【図２３】モード選択画像の一例を示す図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜実施の形態１＞
図１は、本発明の実施の形態１に係るマルチディスプレイシステム１０００の構成を示すブロック図である。図１に示されるように、マルチディスプレイシステム１０００は、マルチディスプレイ５００と、画像処理装置２００と、ユーザーインターフェース３００と、通信装置４００とを含む。
【００１４】
マルチディスプレイ５００は、ｍ（３以上の整数）台のディスプレイ１００から構成される。なお、図１では、一例として、ｍ台のディスプレイ１００が、行列状に配置されることにより構成されたマルチディスプレイ５００を示している。なお、ｍ台のディスプレイ１００は、行列状に配置される構成に限定されず、直線状に配置されてもよい。
【００１５】
ディスプレイ１００は、液晶ディスプレイである。なお、ディスプレイ１００は、液晶ディスプレイに限定されず、例えば、リアプロジェクション方式の表示装置であってもよい。リアプロジェクション方式の表示装置は、画面の背面から当該画面に映像を投射する表示である。リアプロジェクション方式の表示装置は、例えば、ＤＭＤ（Digital Micromirror Device）を利用した装置である。
【００１６】
ｍ台のディスプレイ１００の各々は、画面１０を有する。ｍ台のディスプレイ１００は、当該ｍ台のディスプレイ１００の画面１０により矩形のマルチ画面１０Ａが構成されるように、配置される。すなわち、マルチ画面１０Ａは、ｍ個の画面１０により構成されている。
【００１７】
図１では、マルチ画面１０Ａに対してのＸ方向およびＹ方向が示される。Ｘ，Ｙ方向の各々は、互いに直交する。以下の図に示されるＸ，Ｙ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｘ軸方向およびＹ軸方向を含む平面を、「ＸＹ面」ともいう。
【００１８】
以下においては、マルチ画面１０Ａにおいて、各ディスプレイ１００の位置を特定するための行列を、「行列ＭＸ」ともいう。すなわち、行列ＭＸは、マルチディスプレイ５００を構成するように、行列状に配置された複数のディスプレイ１００に対応する行列である。以下においては、行列ＭＸにおける行の数を、「行数ｒｗ」ともいう。また、以下においては、行列ＭＸにおける列の数を、「列数ｃｌ」ともいう。行列ＭＸが、例えば、３行４列で構成される場合、行数ｒｗは３であり、列数ｃｌは４である。
【００１９】
また、以下においては、マルチ画面１０Ａにおけるディスプレイ１００の座標を、「座標Ｐ」ともいう。座標Ｐは、マルチ画面１０Ａにおける、ディスプレイ１００の画面１０の座標でもある。座標Ｐは、（ｈ（自然数），ｖ（自然数））で表現される。座標Ｐ（ｈ，ｖ）は、マルチ画面１０Ａの左上端部に配置される画面１０の位置を原点とした場合の座標である。
【００２０】
座標Ｐ（ｈ，ｖ）の「ｈ」は、マルチ画面１０Ａにおけるディスプレイ１００の水平方向（Ｘ方向）の座標（位置）である。座標Ｐ（ｈ，ｖ）の「ｖ」は、マルチ画面１０Ａにおけるディスプレイ１００の垂直方向（Ｙ方向）の座標（位置）である。
【００２１】
以下においては、前述の座標Ｐ（ｈ，ｖ）のｈ，ｖを用いて、ディスプレイ１００を、「ディスプレイ１００−ｈｖ」とも表現する。なお、ｈの最大値は、「ｈｚ」と表現される。「ｈｚ」は、列数ｃｌと同じである。また、ｖの最大値は、「ｖｚ」と表現される。「ｖｚ」は、行数ｒｗと同じである。
【００２２】
なお、図１では、一例として、ｍ台のディスプレイ１００が、行列ＭＸとしての３行ｈｚ列の行列状に配置されることにより構成されたマルチディスプレイ５００を示している。
【００２３】
また、例えば、ディスプレイ１００−１１は、座標Ｐ（１，１）に配置されたディスプレイ１００である。なお、座標Ｐ（１，１）は、行列ＭＸの１行目および行列ＭＸの１列目に対応する。また、例えば、ディスプレイ１００−２３は、座標Ｐ（２，３）に配置されたディスプレイ１００である。なお、座標Ｐ（２，３）は、行列ＭＸの３行目および行列ＭＸの２列目に対応する。
【００２４】
また、例えば、ディスプレイ１００−ｈｚ１は、座標Ｐ（ｈｚ，１）に配置されたディスプレイ１００である。なお、座標Ｐ（ｈｚ，１）は、行列ＭＸの１行目および行列ＭＸのｈｚ列目に対応する。
【００２５】
また、以下においては、ディスプレイ１００−ｈｖが有する画面１０を、「画面１０−ｈｖ」とも表現する。「画面１０−ｈｖ」のｈ，ｖは、「ディスプレイ１００−ｈｖ」のｈ，ｖと同じである。例えば、ディスプレイ１００−２３が有する画面１０は、画面１０−２３と表現される。「画面１０−ｈｖ」の「ｈｖ」は、画面１０を特定する番号（情報）である。
【００２６】
以下においては、「画面１０−ｈｖ」の「ｈｖ」を、「画面特定番号」ともいう。画面特定番号は、画面１０を特定するための番号である。なお、画面特定番号は、ディスプレイ１００を特定（識別）するための番号（以下、「ディスプレイ特定番号」ともいう）でもある。
【００２７】
画像処理装置２００は、マルチディスプレイ５００を制御する装置である。画像処理装置２００は、例えば、ＰＣ（Personal Computer）である。画像処理装置２００では、汎用のコンピュータ制御用のオペレーティングシステムが動作する。画像処理装置２００は、マルチディスプレイ５００を構成するｍ台のディスプレイ１００の各々と、映像ケーブルにより接続される。当該映像ケーブルは、例えば、ＤＶＩ（Digital Visual Interface）ケーブルである。
【００２８】
画像処理装置２００は、テロップ情報管理部２１０と、状態管理部２２０と、画像処理部２３０とを備える。テロップ情報管理部２１０、状態管理部２２０および画像処理部２３０の全て又は一部は、ＬＳＩ（Large Scale Integration）等のハードウエアで構成される。なお、テロップ情報管理部２１０、状態管理部２２０および画像処理部２３０の全て又は一部は、ＣＰＵ（Central Processing Unit）等のプロセッサにより実行される、プログラムのモジュールであってもよい。
【００２９】
テロップ情報管理部２１０は、テロップ情報ＴＪを管理（記憶）している。テロップ情報ＴＪは、マルチ画面１０Ａの全てまたは一部において表示対象とされている文字列と、当該文字列が表示対象とされている画面１０を特定する情報（番号）とが示される。
【００３０】
図２は、テロップ情報ＴＪの一例を示す図である。図２において、「表示対象文字列」とは、マルチ画面１０Ａを構成するｍ個の画面１０の全てまたは一部において表示対象とされている複数の文字から構成される文字列である。表示対象文字列は、一例として、Ａ〜Ｚのアルファベットで構成される。画像処理装置２００は、詳細は後述するが、表示対象文字列を使用した処理を行う機能を有する。
【００３１】
図２において、「対象画面特定番号」とは、表示対象文字列の表示対象とされている画面１０を特定する画面特定番号である。図２のテロップ情報ＴＪは、一例として、画面１０−１１，１０−２１，１０−３１，１０−４１が、表示対象文字列の表示対象とされている画面であることを示す。
【００３２】
再び、図１を参照して、状態管理部２２０は、詳細は後述するが、マルチ画面１０Ａを構成する各画面１０の状態を管理している。画像処理部２３０は、詳細は後述するが、画像を生成する処理を行う。
【００３３】
また、画像処理装置２００には、ユーザーインターフェース３００が接続される。ユーザーインターフェース３００は、ユーザーが操作可能な装置である。ユーザーインターフェース３００は、例えば、キーボード、マウス等である。ユーザーインターフェース３００は、ユーザーインターフェース３００に対するユーザーによる操作を、画像処理装置２００に対する指示として受付ける。
【００３４】
また、画像処理装置２００は、通信インターフェース（図示せず）を備える。当該通信インターフェースは、例えば、ＬＡＮ（Local Area Network）を構築するためのインターフェースである。画像処理装置２００は、通信ケーブルにより、通信装置４００と接続される。通信ケーブルは、例えば、ＬＡＮケーブルである。なお、通信インターフェースは、ＲＳ−２３２Ｃの規格に従ったインターフェースであってもよい。この場合、通信ケーブルは、ＲＳ−２３２Ｃの規格に従ったケーブルである。
【００３５】
通信装置４００は、マルチディスプレイ５００と画像処理装置２００との相互通信を可能にするための装置である。通信装置４００は、通信ケーブルにより、マルチディスプレイ５００と接続される。
【００３６】
通信装置４００は、通信部４１０を備える。通信部４１０は、マルチディスプレイ５００と画像処理装置２００との相互通信を可能にするための機能を有する。
【００３７】
以下においては、画面１０が画像を表示可能な当該画面１０の状態を、「表示可能状態」ともいう。表示可能状態は、ディスプレイ１００が、当該ディスプレイ１００が有する画面１０に画像を表示可能な状態である。すなわち、表示可能状態では、ディスプレイ１００は、正常に動作している。
【００３８】
また、以下においては、画面１０が画像を表示不能な当該画面１０の状態を、「表示不能状態」ともいう。表示不能状態は、ディスプレイ１００が、当該ディスプレイ１００が有する画面１０に画像を表示不能な状態である。表示不能状態では、例えば、ディスプレイ１００が故障しており、画像を画面１０に表示できない状態である。以下においては、画面１０の状態を、「画面状態」ともいう。画面状態は、表示可能状態および表示不能状態のいずれかである。
【００３９】
マルチディスプレイ５００を構成するｍ台のディスプレイ１００の各々は、所定時間経過毎に、当該ディスプレイ１００が有する画面１０についての画面状態を、通信装置４００を介して、画像処理装置２００へ通知している。当該所定時間は、例えば、０．１秒から５秒の範囲の値のいずれかである。これにより、状態管理部２２０は、常時、マルチ画面１０Ａを構成するｍ個の画面１０の各々の状態が、表示可能状態および表示不能状態のいずれであるか管理している。
【００４０】
また、状態管理部２２０は、画面状態情報ＳＪを管理（記憶）している。画面状態情報ＳＪは、各ディスプレイ１００の座標Ｐと、各ディスプレイ１００の画面状態とを示す。
【００４１】
ここで、以下の前提Ｎ１を考慮する。前提Ｎ１では、マルチディスプレイ５００は、４台のディスプレイ１００から構成される。なお、４台のディスプレイ１００は、直線状に配置される。すなわち、前提Ｎ１では、マルチ画面１０Ａは、直線状に配置された４個の画面１０（画面１０−１１，１０−２１，１０−３１，１０−４１）により構成されている。
【００４２】
図３は、画面状態情報ＳＪの一例を示す図である。図３の画面状態情報ＳＪは、一例として、上記の前提Ｎ１に対応する情報を示す。図３の画面状態情報ＳＪは、４個の状態情報Ｓから構成される。各状態情報Ｓは、図３の画面状態情報ＳＪの各行に対応する情報である。各状態情報Ｓは、画面特定番号、座標および画面状態を示す。当該座標とは、前述の座標Ｐである。
【００４３】
図３の画面状態情報ＳＪにおいて、例えば、１番目の状態情報Ｓは、ディスプレイ１００−１１に対応する情報である。当該１番目の状態情報Ｓは、ディスプレイ１００−１１の画面１０−１１の画面特定番号が“１１”であることと、ディスプレイ１００−１１の座標Ｐが、（１，１）であることと、画面１０−１１の画面状態が、表示可能状態であることとを示す。
【００４４】
なお、図２のテロップ情報ＴＪの対象画面特定番号は、図３の画面状態情報ＳＪにおける画面特定番号に対応する。
【００４５】
また、状態管理部２２０は、ディスプレイ１００（画面１０）の画面状態に変化があった場合、当該ディスプレイ１００の変化後の画面状態を状態情報Ｓが示すように、状態情報Ｓを更新する。すなわち、画面状態情報ＳＪは、画面状態の変化がある毎に更新される。
【００４６】
例えば、画面１０−２１の画面状態が、表示可能状態から表示不能状態に変化した場合、状態管理部２２０は、画面特定番号“２１”を示す状態情報Ｓの画面状態を、表示可能状態から表示不能状態に変更する。これにより、画面状態情報ＳＪは更新される。
【００４７】
なお、状態管理部２２０は、画面状態情報ＳＪは、所定の更新タイミングにおいて更新される構成としてもよい。当該構成では、状態管理部２２０は、上記のような画面状態の変化を、所定の更新タイミングに従って検出し、画面状態情報ＳＪを、上記のように更新する。
【００４８】
再び、図１を参照して、画像処理部２３０は、詳細は後述するが、テロップ情報ＴＪと、画面状態情報ＳＪとに基づいて、マルチ画面を構成するｍ個の画面１０の全てまたは一部に表示対象文字列を表示するための画像を生成する。表示対象文字列は、複数の画面１０にわたって、テロップとして表示される。
【００４９】
次に、文字列がテロップとして表示される状態について説明する。以下においては、一例として、前述の前提Ｎ１においてテロップ（文字列）が表示される状態について説明する。
【００５０】
図４は、複数の画面１０においてテロップが表示される状態を説明するための図である。図４では、一例として、画面１０−１１〜画面１０−４１においてテロップが表示される状態を示す。当該テロップは、一例として、図２の表示対象文字列であるとする。
【００５１】
図４（ａ）〜図４（ｃ）では、表示対象文字列が、画面１０−１１〜画面１０−４１の上部において表示されている状態を示す。なお、図４（ａ）〜図４（ｃ）では、画面の境界部に位置する文字を見やすくするために、実際には画面の境界線と重なる文字を当該境界線と重ならないように示している。例えば、図４（ａ）では、画面１０−３１と画面１０−４１との境界線に重なる文字「Ｆ」を、当該境界線と重ならないように示している。
【００５２】
また、図４（ａ）〜図４（ｃ）では、表示対象文字列が、時間経過に伴い、画面１０−１１〜画面１０−４１において−Ｘ方向（左方向）へ移動（スクロール）する状態を示す。
【００５３】
なお、表示対象文字列が表示される位置は、画面１０の上部に限定されず、他の位置であってもよい。また、表示対象文字列のサイズは、図４に示すサイズに限定されず、他のサイズであってもよい。例えば、表示対象文字列のサイズは、画面１０の縦方向のサイズとほぼ同等のサイズであってもよい。すなわち、表示対象文字列は、画面１０−１１〜画面１０−４１の各々の全体に表示されてもよい。
【００５４】
また、表示対象文字列の移動方向（スクロール方向）は、−Ｘ方向（左方向）に限定されず、他の方向であってもよい。例えば、複数の画面１０が縦方向（Ｙ軸方向）に隣接して配置される構成では、表示対象文字列の移動方向（スクロール方向）は、例えば、Ｙ方向（下方向）であってもよい。
【００５５】
本実施の形態では、表示不能状態の画面が存在する場合を考慮して文字列を表示するための処理（以下、「文字列表示処理Ｎ」ともいう）が行われる。
【００５６】
図５は、本発明の実施の形態１に係る文字列表示処理Ｎのフローチャートである。ここで、一例として、前述の前提Ｎ１における文字列表示処理Ｎについて説明する。文字列表示処理Ｎでは、ステップＳ１１０，Ｓ１２０，Ｓ１３０の順で処理が行われる。
【００５７】
ステップＳ１１０では、テロップ情報取得処理が行われる。テロップ情報取得処理では、画像処理部２３０が、テロップ情報管理部２１０から最新のテロップ情報ＴＪを取得する。当該テロップ情報ＴＪは、例えば、図２のテロップ情報ＴＪである。
【００５８】
ステップＳ１２０では、画面状態情報取得処理が行われる。画面状態情報取得処理では、画像処理部２３０が、状態管理部２２０から最新の画面状態情報ＳＪを取得する。当該画面状態情報ＳＪは、例えば、図３の画面状態情報ＳＪである。
【００５９】
ステップＳ１３０では、表示不能状態があるか否かが判定される。具体的には、画像処理部２３０が、取得した最新の画面状態情報ＳＪに表示不能状態が示されているか否かを判定する。ステップＳ１３０においてＹＥＳならば、処理は後述のステップＳ２００へ移行する。一方、ステップＳ１３０においてＮＯならば、処理はステップＳ１４０へ移行する。ここでは、表示不能状態がないとして、ステップＳ１４０の処理について説明する。
【００６０】
ステップＳ１４０では、画像生成処理Ｎが行われる。画像生成処理Ｎでは、画像処理部２３０が、表示可能状態の各画面１０の位置に基づいて、表示対象文字列の表示対象とされている、表示可能状態の各画面１０にわたって表示対象文字列を表示するための画像を生成する。
【００６１】
以下においては、表示対象文字列の表示対象とされている、表示可能状態の各画面１０を、「対象表示可能画面」ともいう。対象表示可能画面は、最新のテロップ情報ＴＪに示される対象画面特定番号により特定される画面１０である。
【００６２】
また、以下においては、各対象表示可能画面にわたって表示対象文字列を表示するための画像を、「文字画像」ともいう。すなわち、画像生成処理Ｎでは、画像処理部２３０が、表示可能状態の各画面１０の位置に基づいて、各対象表示可能画面にわたって表示対象文字列を表示するための文字画像を生成する。
【００６３】
ここで、前提Ｎ１を考慮した下記の前提Ｘｎ１を考慮する。前提Ｘｎ１では、画像生成処理Ｎで使用される当該最新のテロップ情報ＴＪは、図２のテロップ情報ＴＪである。この場合、対象表示可能画面は、画面１０−１１，１０−２１，１０−３１，１０−４１である。
【００６４】
また、前提Ｘｎ１では、画面１０−１１，１０−２１，１０−３１，１０−４１の全ての画面状態は、表示可能状態である。この場合、画像処理部２３０が生成する文字画像は、図６（ａ）に示される文字画像Ｇ１ａ，Ｇ１ｂ，Ｇ１ｃ，Ｇ１ｄである。すなわち、前提Ｘｎ１における画像生成処理Ｎでは、画像処理部２３０は、画面１０−１１，１０−２１，１０−３１，１０−４１にわたって表示対象文字列を表示するための画像（文字画像）を生成する。
【００６５】
上記の前提Ｘｎ１における画像生成処理Ｎにおいて、ステップＳ１１０，Ｓ１２０，Ｓ１３０，Ｓ１４０が行われることにより、画像処理部２３０は、以下の処理を行う。当該処理では、画像処理部２３０は、マルチ画面１０Ａにおいて表示不能状態の画面１０が存在しない場合、マルチ画面１０Ａを構成するｍ個の画面１０のうち、表示対象文字列の表示対象となる当該ｍ個の画面１０にわたって表示対象文字列を表示するための文字画像を生成する。当該ｍは４である。
【００６６】
ステップＳ１５０では、文字画像を表示するための表示処理Ｎが行われる。表示処理Ｎでは、画像処理部２３０が、生成した文字画像を、各対象表示可能画面を有するディスプレイ１００へ送信する。文字画像を受信したディスプレイ１００は、当該文字画像を、当該ディスプレイ１００が有する画面１０に表示する。
【００６７】
ここで、前提Ｘｎ１における画像生成処理Ｎにより、図６（ａ）の文字画像Ｇ１ａ，Ｇ１ｂ，Ｇ１ｃ，Ｇ１ｄが生成されたとする。この場合、表示処理Ｎでは、画像処理部２３０は、文字画像Ｇ１ａ，Ｇ１ｂ，Ｇ１ｃ，Ｇ１ｄを、それぞれ、画面１０−１１，１０−２１，１０−３１，１０−４１を有するディスプレイ１００へ送信する。すなわち、画像処理部２３０は、文字画像Ｇ１ａ，Ｇ１ｂ，Ｇ１ｃ，Ｇ１ｄを、それぞれ、ディスプレイ１００−１１，１００−２１，１００−３１，１００−４１へ送信する。
【００６８】
そして、ディスプレイ１００−１１は、受信した文字画像Ｇ１ａを、当該ディスプレイ１００−１１が有する画面１０−１１に表示する。ディスプレイ１００−２１，１００−３１，１００−４１の各々も、ディスプレイ１００−１１と同様に、受信した文字画像を表示する。これにより、図６（ａ）のように、画面１０−１１，１０−２１，１０−３１，１０−４１に、それぞれ、文字画像Ｇ１ａ，Ｇ１ｂ，Ｇ１ｃ，Ｇ１ｄが表示される。
【００６９】
なお、マルチディスプレイシステム１０００が駆動している間、文字列表示処理Ｎは、何度も繰り返し行われる。すなわち、ステップＳ１５０の処理の後、再度、ステップＳ１１０の処理が行われる。つまり、ステップＳ１４０、Ｓ１５０の処理は繰り返し行われる。
【００７０】
そのため、繰り返し行われるステップＳ１４０、Ｓ１５０により、画面１０−１１，１０−２１，１０−３１，１０−４１にわたって、表示対象文字列を構成する全ての文字が表示されるように、画像処理部２３０は文字画像を繰り返し生成し、当該文字画像が表示される。具体的には、画面１０−１１，１０−２１，１０−３１，１０−４１において、表示対象文字列が−Ｘ方向へ移動して表示されるように、画像処理部２３０は文字画像を繰り返し生成し、当該文字画像が各画面１０に表示される。
【００７１】
次に、表示不能状態の画面１０が存在する場合の処理について説明する。ここで、前提Ｎ１を考慮した下記の前提Ｘｎ２を考慮する。前提Ｘｎ２では、マルチ画面１０Ａにおいて表示不能状態の画面１０が存在する。具体的には、前提Ｘｎ２では、例えば、ディスプレイ１００−２１の故障等により、画面１０−２１の画面状態が、表示可能状態から表示不能状態に変化する。この場合、状態管理部２２０は、画面状態の変化のタイミングに応じて、最新の画面状態情報ＳＪにおいて、画面特定番号“２１”を示す状態情報Ｓの画面状態を、表示可能状態から表示不能状態に変更することにより、画面状態情報ＳＪを更新する。その結果、更新後の画面状態情報ＳＪは、図７の画面状態情報ＳＪである。
【００７２】
また、前提Ｘｎ２では、画面１０−１１，１０−３１，１０−４１の各々の状態（画面状態）は、表示可能状態である。また、前提Ｘｎ２では、テロップ情報管理部２１０は、図２のテロップ情報ＴＪを管理（記憶）している。
【００７３】
なお、上記の前提Ｘｎ２において、仮に、後述のステップＳ２００の処理が行われない場合、図６（ｂ）のように、画面１０−２１に文字画像Ｇ１ｂが表示されなくなる。この場合、表示対象文字列を構成する全ての文字のうち、表示されない文字（Ｆ〜Ｊ）が発生するという問題が発生する。本実施の形態では、以下のステップＳ２００の処理を行うことにより、表示不能状態の画面１０が存在する場合でも、表示対象文字列の一部が表示されないことを防ぐ。
【００７４】
上記の前提Ｘｎ２における文字列表示処理Ｎでは、ステップＳ１１０、Ｓ１２０の処理が行われた後、ステップＳ１３０でＹＥＳと判定され、処理はステップＳ２００へ移行する。このとき、画像処理部２３０は、テロップ情報管理部２１０から図２のテロップ情報ＴＪを取得しており、状態管理部２２０から図７の画面状態情報ＳＪを取得している。
【００７５】
ステップＳ２００では、テロップ情報ＴＪを更新するための更新処理Ｎが行われる。更新処理Ｎは、ステップＳ２１０の処理を含む。
【００７６】
以下においては、画面状態情報ＳＪに含まれる、表示不能状態を示す状態情報Ｓが示す画面特定番号を、「表示不能画面特定番号」ともいう。例えば、図７の画面状態情報ＳＪにおける表示不能画面特定番号は、“２１”である。
【００７７】
ステップＳ２１０では、番号削除処理が行われる。番号削除処理では、画像処理部２３０が、テロップ情報ＴＪに示される複数の対象画面特定番号のうち、表示不能画面特定番号と同じ対象画面特定番号を削除する。これにより、テロップ情報ＴＪが更新される。
【００７８】
前提Ｘｎ２における番号削除処理では、画像処理部２３０が、図２のテロップ情報ＴＪに示される複数の対象画面特定番号（１１，２１，３１，４１）のうち、表示不能画面特定番号（２１）と同じ対象画面特定番号を削除する。これにより、更新後のテロップ情報ＴＪは、図８のテロップ情報ＴＪである。
【００７９】
次に、前述したステップＳ１４０の画像生成処理Ｎが行われる。
【００８０】
前提Ｘｎ２における画像生成処理Ｎでは、要約すれば、画像処理部２３０が、ｍ個の画面１０の全てまたは一部のうち、表示対象文字列の表示対象となる、マルチ画面１０Ａにおける表示可能状態のｎ（自然数）個の画面１０の位置に基づいて、当該ｎ個の画面１０にわたって表示対象文字列を表示するための文字画像を生成する。当該ｎは、２≦ｎ＜ｍの関係を満たす値である。表示対象文字列の表示対象となるｎ個の画面１０は、テロップ情報ＴＪが示す対象画面特定番号により特定される画面である。
【００８１】
なお、前提Ｘｎ２では、テロップ情報ＴＪは、図８のように、対象画面特定番号として、１１，３１，４１を示す。そのため、前提Ｘｎ２では、表示対象文字列の表示対象となる表示可能状態のｎ個の画面１０は、画面１０−１１，１０−３１，１０−４１である。
【００８２】
具体的には、前提Ｘｎ２における画像生成処理Ｎでは、画像処理部２３０が、表示可能状態の画面１０−１１，１０−３１，１０−４１の位置に基づいて、当該画面１０−１１，１０−３１，１０−４１にわたって表示対象文字列を表示するための文字画像Ｇ１ａ，Ｇ１ｂ，Ｇ１ｃを生成する。なお、当該文字画像Ｇ１ａ，Ｇ１ｂ，Ｇ１ｃは、１個の画面１０の幅の３倍の幅を有する文字画像が３つに等分割された画像である。
【００８３】
以上のように、ステップＳ１３０，Ｓ２００（Ｓ２１０），Ｓ１４０が行われることにより、以下の処理が行われる。当該処理では、画像処理部２３０が、マルチ画面１０Ａにおいて表示不能状態の画面が存在する場合、表示対象文字列の表示対象となる、表示可能状態のｎ個の画面１０にわたって表示対象文字列を表示するための文字画像を生成する。
【００８４】
前提Ｘｎ２におけるステップＳ１５０の表示処理Ｎでは、画像処理部２３０は、生成した文字画像Ｇ１ａ，Ｇ１ｂ，Ｇ１ｃを、それぞれ、ディスプレイ１００−１１，１００−３１，１００−４１へ送信する。
【００８５】
そして、ディスプレイ１００−１１は、受信した文字画像Ｇ１ａを、当該ディスプレイ１００−１１が有する画面１０−１１に表示する。ディスプレイ１００−３１，１００−４１の各々も、ディスプレイ１００−１１と同様に、受信した文字画像を表示する。これにより、図６（ｃ）のように、画面１０−１１，１０−３１，１０−４１に、それぞれ、文字画像Ｇ１ａ，Ｇ１ｂ，Ｇ１ｃが表示される。
【００８６】
なお、前述したように、文字列表示処理Ｎは、何度も繰り返し行われる。そのため、繰り返し行われるステップＳ１４０、Ｓ１５０により、画面１０−１１，１０−３１，１０−４１にわたって、表示対象文字列を構成する全ての文字が表示されるように、画像処理部２３０は文字画像を繰り返し生成し、当該文字画像が表示される。具体的には、画面１０−１１，１０−３１，１０−４１において、表示対象文字列が−Ｘ方向へ移動して表示されるように、画像処理部２３０は文字画像を繰り返し生成し、当該文字画像が各画面１０に表示される。
【００８７】
以上により、前提Ｘｎ２における文字列表示処理Ｎにより、表示不能状態の画面１０−２１をスキップして、表示対象文字列を表示することが可能となる。すなわち、画面１０−１１，１０−３１，１０−４１において、表示対象文字列を構成する複数の文字が繋がっているように（連続して）表示される。
【００８８】
なお、例えば、ディスプレイ１００−２１の故障が修復され、画面１０−２１の状態が、表示不能状態から、再び、表示可能状態になったとする。この場合、状態管理部２２０は、画面特定番号“２１”を示す状態情報Ｓの画面状態を、表示不能状態から表示可能状態に変更することにより、画面状態情報ＳＪを更新する。
【００８９】
この場合、文字列表示処理Ｎでは、ステップＳ１３０でＮＯと判定され、ステップＳ１４０、Ｓ１５０の処理が行われる。これにより、図６（ａ）のように、画面１０−１１，１０−２１，１０−３１，１０−４１にわたって、表示対象文字列が繋がるように（連続して）表示される。
【００９０】
以上説明したように、本実施の形態によれば、画像処理部２３０は、マルチ画面１０Ａにおいて表示不能状態の画面１０が存在する場合、表示対象文字列の表示対象となる、当該マルチ画面１０Ａにおける表示可能状態のｎ個の画面１０の位置に基づいて、当該ｎ個の画面１０にわたって前記表示対象文字列を表示するための画像を生成する。
【００９１】
これにより、画像を表示不能な画面が存在する場合でも、文字列（表示対象文字列）の一部が表示されないことを防ぐことができる。
【００９２】
また、本実施の形態によれば、各ディスプレイ１００の画面状態を監視し、表示不能状態の画面１０が存在する場合、当該表示不能状態の画面１０を除いた、各対象表示可能画面にわたって表示対象文字列が連続して表示されるように制御する。これにより、情報を欠落させることなく、表示対象文字列を表示することが可能となる。
【００９３】
なお、前述の表示不能状態は、ディスプレイ１００が故障しており、画像を画面１０に表示できない状態に限定されない。例えば、表示不能状態は、画像処理装置２００とディスプレイ１００とを接続する映像ケーブルの異常により、当該ディスプレイ１００が信号（画像）を受信していない状態（無信号状態）であってもよい。
【００９４】
また、表示不能状態は、例えば、ディスプレイ１００の電源がオフである状態、ディスプレイ１００がスタンバイ状態である状態等であってもよい。例えば、ユーザーが節電のために、一部のディスプレイ１００の電源を一時的にオフしたとする。この場合でも、上記の文字列表示処理Ｎが行われることにより、テロップの表示態様について特別な操作をすることなく、情報を欠落させずに、適切な表示形態で表示対象文字列を表示することができる。
【００９５】
なお、複数の画面にわたって、複数の文字から構成される文字列を表示する従来の構成では、一部のディスプレイが故障などにより画像を表示不能になった場合、複数の画面にわたって表示されている文字列の一部が見えなくなる。その結果、当該複数の文字により示される情報の一部が欠落してしまうという問題点があった。
【００９６】
そこで、本実施の形態は上記のように構成されるため、上記の問題点を解決することができる。
【００９７】
なお、上記では、画面１０−１１，１０−２１，１０−３１，１０−４１によりマルチ画面１０Ａが構成される前提Ｎ１（前提Ｘｎ１、前提Ｘｎ２）における文字列表示処理Ｎを説明した。
【００９８】
なお、下記の前提Ｘｎ３において文字列表示処理Ｎが行われてもよい。前提Ｘｎ３では、マルチディスプレイ５００は、例えば、１２台のディスプレイ１００から構成される。すなわち、ｍは１２である。また、前提Ｘｎ３では、マルチ画面１０Ａは、３行４列に配置された１２個の画面１０により構成されている。また、前提Ｘｎ３では、マルチ画面１０Ａに対応する行列ＭＸの１行目に対応する画面１０−１１，１０−２１，１０−３１，１０−４１のみが、表示対象文字列の表示対象とされている画面である。すなわち、前提Ｘｎ３では、マルチ画面１０Ａの一部である画面１０−１１，１０−２１，１０−３１，１０−４１のみが、表示対象文字列の表示対象とされている画面である。また、前提Ｘｎ３では、表示不能状態の画面１０が存在しない。また、前提Ｘｎ３では、図２のテロップ情報ＴＪが使用される。
【００９９】
上記の前提Ｘｎ３における文字列表示処理Ｎにおいて、ステップＳ１１０，Ｓ１２０，Ｓ１３０，Ｓ１４０が行われることにより、画像処理部２３０は、以下の処理を行う。当該処理では、画像処理部２３０は、マルチ画面１０Ａにおいて表示不能状態の画面１０が存在しない場合、マルチ画面１０Ａを構成するｍ個の画面１０のうち、表示対象文字列の表示対象となるｐ（自然数））個の画面１０にわたって表示対象文字列を表示するための文字画像を生成する。当該ｐは、２≦ｐ＜ｍの関係を満たす値である。表示対象文字列の表示対象となるｐ個の画面１０は、テロップ情報ＴＪが示す対象画面特定番号により特定される画面である。また、当該ｐ個の画面１０は、前述の画面１０−１１，１０−２１，１０−３１，１０−４１である。
【０１００】
また、下記の前提Ｘｎ４において文字列表示処理Ｎが行われてもよい。前提Ｘｎ４は、前提Ｘｎ３と比較して、画面１０−２１の画面状態が表示不能状態である点のみが異なるとする。なお、前提Ｘｎ４のそれ以外の点は、前提Ｘｎ３と同じである。
【０１０１】
この前提Ｘｎ４における文字列表示処理Ｎでは、マルチ画面１０Ａの一部である画面１０−１１，１０−２１，１０−３１，１０−４１を対象として、前述の前提Ｘｎ２における文字列表示処理Ｎが行われる。すなわち、前提Ｘｎ４における文字列表示処理Ｎでは、マルチ画面１０Ａの一部を利用して、表示不能状態の画面１０−２１が存在する場合において、前述した前提Ｘｎ２における文字列表示処理Ｎが行われる。この前提Ｘｎ４における文字列表示処理Ｎにおいても、前提Ｘｎ２における文字列表示処理Ｎと同じ効果が得られる。
【０１０２】
＜実施の形態２＞
次に、本実施の形態に係るマルチディスプレイシステムの処理について説明する。本実施の形態に係るマルチディスプレイシステムは、図１のマルチディスプレイシステム１０００である。すなわち、本実施の形態に係る画像処理装置およびマルチディスプレイは、それぞれ、実施の形態１の画像処理装置２００およびマルチディスプレイ５００である。
【０１０３】
本実施の形態では、実施の形態１の処理に加え、隣接する複数の画面のみに文字を表示する。以下においては、本実施の形態において行われる処理を、「文字列表示処理Ａ」ともいう。
【０１０４】
図９は、本発明の実施の形態２に係る文字列表示処理Ａのフローチャートである。図９において、図５のステップ番号と同じステップ番号の処理は、実施の形態１で説明した処理と同様な処理が行われるので詳細な説明は繰り返さない。文字列表示処理Ａは、図５の文字列表示処理Ｎと比較して、ステップＳ２００の代わりにステップＳ２００Ａが行われる点が異なる。ステップＳ２００Ａについては後述する。なお、文字列表示処理Ａは、文字列表示処理Ｎと同様、何度も繰り返し行われる。
【０１０５】
ここで、以下の前提Ａ１を考慮する。前提Ａ１では、マルチディスプレイ５００は、１０台のディスプレイ１００から構成される。なお、１０台のディスプレイ１００は、直線状に配置される。すなわち、前提Ａ１では、マルチ画面１０Ａは、図１０（ａ）のように、直線状に配置された１０個の画面１０（画面１０−１１〜１０−１０１）により構成されている。
【０１０６】
また、ここで、前提Ａ１を考慮した下記の前提Ｘａ１を考慮する。前提Ｘａ１では、表示不能状態がない。すなわち、画面１０−１１〜１０−１０１の全ての画面状態は、表示可能状態である。また、前提Ｘａ１では、テロップ情報ＴＪは、図１１のテロップ情報ＴＪである。この場合、対象表示可能画面は、画面１０−１１〜１０−１０１である。なお、前提Ｘａ１では、図１２の画面状態情報ＳＪが使用される。
【０１０７】
上記の前提Ｘａ１における画像生成処理Ａでは、実施の形態１と同様、ステップＳ１１０，Ｓ１２０，Ｓ１３０，Ｓ１４０が行われる。これにより、ステップＳ１４０では、画像処理部２３０が、図１０（ａ）に示される文字画像Ｇ２ａ，Ｇ２ｂ，Ｇ２ｃ，Ｇ２ｄ，Ｇ２ｅ，Ｇ２ｆ，Ｇ２ｇ，Ｇ２ｈ，Ｇ２ｉ，Ｇ２ｊを生成する。前提Ｘａ１における文字画像Ｇ２ａ〜Ｇ２ｊは、それぞれ、画面１０−１１〜１０−１０１において表示するための画像である。すなわち、前提Ｘａ１における画像生成処理Ａでは、画像処理部２３０は、画面１０−１１〜１０−１０１にわたって表示対象文字列を表示するための画像（文字画像）を生成する。
【０１０８】
そして、実施の形態１と同様、ステップＳ１５０が行われることにより、画面１０−１１〜１０−１０１に、それぞれ、文字画像Ｇ２ａ〜Ｇ２ｊが表示される。
【０１０９】
以下においては、複数の対象表示可能画面から構成される領域を、「表示対象領域」ともいう。ここで、複数の対象表示可能画面が画面１０−１１〜１０−１０１であるとする。この場合、表示対象領域は、画面１０−１１〜１０−１０１で構成される領域である。
【０１１０】
次に、表示不能状態の画面１０が存在する場合の処理について説明する。ここで、前提Ａ１を考慮した下記の前提Ｘａ２を考慮する。前提Ｘａ２では、マルチ画面１０Ａにおいて表示不能状態の画面１０が存在する。具体的には、前提Ｘａ２では、例えば、画面１０−２１の画面状態が、表示可能状態から表示不能状態に変化する。この場合、状態管理部２２０は、画面状態の変化のタイミングに応じて、最新の画面状態情報ＳＪにおいて、画面特定番号“２１”を示す状態情報Ｓの画面状態を、表示可能状態から表示不能状態に変更することにより、画面状態情報ＳＪを更新する。その結果、更新後の画面状態情報ＳＪは、図１３の画面状態情報ＳＪである。また、前提Ｘａ２では、テロップ情報管理部２１０は、図１１のテロップ情報ＴＪを管理（記憶）している。
【０１１１】
上記の前提Ｘａ２における文字列表示処理Ａでは、ステップＳ１１０、Ｓ１２０の処理が行われた後、ステップＳ１３０でＹＥＳと判定され、処理はステップＳ２００Ａへ移行する。このとき、画像処理部２３０は、テロップ情報管理部２１０から図１１のテロップ情報ＴＪを取得しており、状態管理部２２０から図１３の画面状態情報ＳＪを取得している。なお、図１３の画面状態情報ＳＪは、表示不能画面特定番号“２１”を示す。
【０１１２】
なお、上記の前提Ｘａ２において、仮に、後述のステップＳ２００Ａの処理が行われない場合、図１０（ｂ）のように、画面１０−２１に文字画像Ｇ２ｂが表示されなくなる。この場合、表示対象文字列を構成する全ての文字のうち、表示されない文字が発生する。本実施の形態では、以下のステップＳ２００Ａの処理を行うことにより、表示不能状態の画面１０が存在する場合でも、表示対象文字列の一部が表示されないことを防ぐ。
【０１１３】
ステップＳ２００Ａでは、更新処理Ａが行われる。ステップＳ２００Ａは、ステップＳ２００と比較して、さらに、ステップＳ２２０を含む点が異なる。ステップＳ２００Ａのそれ以外の処理は、ステップＳ２００と同様なので詳細な説明は繰り返さない。
【０１１４】
ステップＳ２１０では、実施の形態１と同様、番号削除処理が行われる。なお、前提Ｘａ２における番号削除処理では、画像処理部２３０が、図１１のテロップ情報ＴＪに示される複数の対象画面特定番号（１１〜１０１）のうち、表示不能画面特定番号（２１）と同じ対象画面特定番号を削除する。これにより、テロップ情報ＴＪが更新される。更新後のテロップ情報ＴＪは、図１４のテロップ情報ＴＪである。
【０１１５】
これにより、前提Ｘａ２では、画面１０−１１〜１０−１０１で構成される表示対象領域が、画面１０−２１を境界として、表示対象領域ＤＬ，ＤＲに分割される。当該表示対象領域ＤＬは、画面１０−１１で構成される領域である。当該表示対象領域ＤＲは、画面１０−３１〜１０−１０１で構成される領域である。ステップＳ２１０の処理の後、ステップＳ２２０の処理が行われる。
【０１１６】
ステップＳ２２０では、領域サイズ対応処理が行われる。領域サイズ対応処理では、番号削除処理により、離れて設けられる複数の表示対象領域が生成された場合、以下の表示対象設定処理が行われる。なお、番号削除処理により生成された表示対象領域の数が１の場合、この領域サイズ対応処理は終了する。例えば、対象画面特定番号が“１１”の場合、生成された表示対象領域の数は１である。
【０１１７】
以下においては、生成された複数の表示対象領域のうち、最も大きな表示対象領域を、「最大表示対象領域」ともいう。最大表示対象領域は、生成された複数の表示対象領域のうち、最も多くの文字列を表示可能な表示対象領域である。
【０１１８】
なお、表示対象設定処理が行われる場合、表示不能状態の画面１０が存在し、かつ、表示可能状態のｒ（自然数）個の画面１０が存在する。当該ｒは、２≦ｒ＜ｍの関係を満たす値である。
【０１１９】
表示対象設定処理では、画像処理部２３０が、要約すれば、当該表示可能状態のｒ個の画面１０のうち、最大表示対象領域を形成する隣接するｓ（自然数）個の画面を、表示対象文字列の表示対象の画面に設定する。当該ｓは、２≦ｓ＜ｒおよびｓ＝ｎの関係を満たす値である。
【０１２０】
なお、最大表示対象領域以外の表示対象領域は、表示対象文字列の表示対象の領域から除外される。以下においては、複数の表示対象領域のうち最大表示対象領域以外の表示対象領域を、「除外表示対象領域」ともいう。
【０１２１】
具体的には、表示対象設定処理では、画像処理部２３０が、複数の表示対象領域の水平方向（Ｘ軸方向）の長さを比較し、水平方向の長さが最も大きい表示対象領域を、最大表示対象領域として特定する。次に、画像処理部２３０は、最新のテロップ情報ＴＪが示す複数の対象画面特定番号から、除外表示対象領域に対応する画面１０の対象画面特定番号を削除する。
【０１２２】
これにより、画像処理部２３０は、特定した最大表示対象領域を形成する隣接する複数の画面１０を、表示対象文字列の表示対象の画面に設定する。そして、この表示対象設定処理（領域サイズ対応処理）は終了する。
【０１２３】
前提Ｘａ２における表示対象設定処理では、画像処理部２３０が、表示対象領域ＤＬ，ＤＲのうち、表示対象領域ＤＲを、最大表示対象領域として特定する。次に、画像処理部２３０は、図１４のテロップ情報ＴＪが示す複数の対象画面特定番号から、除外表示対象領域である表示対象領域ＤＬに対応する画面１０−１１の対象画面特定番号“１１”を削除する。
【０１２４】
これにより、画像処理部２３０は、特定した最大表示対象領域を形成する隣接する画面１０−３１〜１０−１０１を、表示対象文字列の表示対象の画面に設定する。また、これにより、テロップ情報ＴＪが更新される。すなわち、最も長い表示対象領域のみに表示対象文字列のみが表示されるようにテロップ情報ＴＪが更新される。更新後のテロップ情報ＴＪは、図１５のテロップ情報ＴＪである。
【０１２５】
すなわち、前提Ｘａ２における表示対象設定処理では、画像処理部２３０は、表示対象領域ＤＬ，ＤＲを形成する表示可能状態の画面１０−１１，１０−３１〜１０−１０１のうち、最大表示対象領域を形成する隣接する画面１０−３１〜１０−１０１を、表示対象文字列の表示対象の画面に設定する。
【０１２６】
次に、実施の形態１と同様、ステップＳ１４０の画像生成処理Ｎが行われる。画像生成処理Ｎは前述したので、詳細な説明は繰り返さない。
【０１２７】
なお、前提Ｘａ２では、画像生成処理Ｎが行われるときのテロップ情報ＴＪは、図１５のように、対象画面特定番号として、３１，４１，５１，６１，７１，８１，９１，１０１を示す。そのため、前提Ｘａ２では、表示対象文字列の表示対象とされている表示可能状態のｓ個の画面１０は、画面１０−３１〜１０−１０１である。
【０１２８】
すなわち、前提Ｘａ２における画像生成処理Ｎでは、要約すれば、画像処理部２３０が、ｓ個の画面１０（画面１０−３１〜１０−１０１）の位置に基づいて、当該ｓ個の画面１０（画面１０−３１〜１０−１０１）にわたって表示対象文字列を表示するための画像を生成する。これにより、図１０（ｃ）の文字画像Ｇ２ａ，Ｇ２ｂ，Ｇ２ｃ，Ｇ２ｄ，Ｇ２ｅ，Ｇ２ｆ，Ｇ２ｇ，Ｇ２ｈが生成される。前提Ｘａ２における文字画像Ｇ２ａ〜Ｇ２ｈは、それぞれ、画面１０−３１〜１０−１０１において表示するための画像である。
【０１２９】
そして、実施の形態１と同様、ステップＳ１５０が行われることにより、画面１０−３１〜１０−１０１に、それぞれ、文字画像Ｇ２ａ〜Ｇ２ｈが表示される。
【０１３０】
なお、前述したように、文字列表示処理Ａは、何度も繰り返し行われる。そのため、繰り返し行われるステップＳ１４０、Ｓ１５０により、実施の形態１と同様、画面１０−３１〜１０−１０１にわたって、表示対象文字列を構成する全ての文字が表示されるように、画像処理部２３０は文字画像を繰り返し生成し、当該文字画像が表示される。
【０１３１】
以上により、前提Ｘａ２における文字列表示処理Ａにより、画面１０−３１〜１０−１０１のみにおいて、表示対象文字列を構成する複数の文字が繋がっているように（連続して）表示される。つまり、図１０（ｃ）のように、表示不能状態の画面１０−２１を除いた表示対象領域ＤＬ，ＤＲのうち、最も文字列を長く表示できる表示対象領域ＤＲのみに、表示対象文字列が表示される。
【０１３２】
以上説明したように、本実施の形態によれば、表示不能状態の画面１０を除いた複数の表示対象領域のうち、文字列を最も長く表示できる表示対象領域のみに、表示対象文字列の表示領域を短縮させるように、画像を生成する。これにより、表示対象文字列が示す情報を欠落させることなく、かつ、図１０（ｂ）の文字画像Ｇ２ａのように短くて見づらい表示対象文字列を表示しないようにすることができる。その結果、適切な表示形態で、表示対象文字列が示す情報を表示することが可能となる。
【０１３３】
例えば、本実施の形態の図１０では、実施の形態１の図６で示した構成よりも多くのディスプレイ１００から構成されるマルチディスプレイ５００を想定している。このように規模の大きなマルチディスプレイ５００は、広い領域に設置され、ユーザーが遠くから当該マルチディスプレイ５００を見ることになる。そのため、当該マルチディスプレイ５００では、表示対象文字列を比較的大きく表示する場合が多い。
【０１３４】
つまり、図１０の構成では、１つの画面１０において表示可能な文字の数が少なくなる。このようなマルチディスプレイ５００において、図１０（ｂ）の画面１０−１１で構成される表示対象領域ＤＬのように、水平方向の長さが短く、かつ、表示対象文字列がスクロールされて表示される場合、以下の不具合がある。当該不具合は、ユーザーが、表示対象領域ＤＬにおいて、短時間だけ表示される表示対象文字列を読む必要があり、情報を認識しづらいという不具合である。
【０１３５】
そこで、本実施の形態では、表示不能状態の画面１０が存在し、かつ、複数の表示対象領域が存在する場合、短い表示対象領域を除いて、長い表示対象領域にのみ表示対象文字列が表示されるように制御する。これにより、ユーザーが見やすい、表示対象文字列の表示形態を提供することができる。
【０１３６】
なお、文字列表示処理Ａは、実施の形態１と同様、マルチ画面１０Ａの一部を対象として行われてもよい。例えば、下記の前提Ｘａ３において文字列表示処理Ａが行われてもよい。前提Ｘａ３では、マルチディスプレイ５００は、例えば、３０台のディスプレイ１００から構成される。すなわち、ｍは３０である。
【０１３７】
また、前提Ｘａ３では、マルチ画面１０Ａは、３行１０列に配置された３０個の画面１０により構成されている。また、前提Ｘａ３では、マルチ画面１０Ａに対応する行列ＭＸの１行目に対応する画面１０−１１〜１０−１０１のみが、表示対象文字列の表示対象とされている画面である。すなわち、マルチ画面１０Ａの一部である画面１０−１１〜１０−１０１のみが、表示対象文字列の表示対象とされている画面である。また、前提Ｘａ３では、表示不能状態の画面１０が存在しない。前提Ｘａ３では、図１１のテロップ情報ＴＪが使用される。
【０１３８】
上記の前提Ｘａ３における文字列表示処理Ａにおいて、ステップＳ１１０，Ｓ１２０，Ｓ１３０，Ｓ１４０が行われることにより、実施の形態２と同様な処理が行われる。
【０１３９】
また、下記の前提Ｘａ４において文字列表示処理Ａが行われてもよい。前提Ｘａ４は、前提Ｘａ３と比較して、画面１０−２１の画面状態が表示不能状態である点のみが異なるとする。なお、前提Ｘａ４のそれ以外の点は、前提Ｘａ３と同じである。
【０１４０】
この前提Ｘａ４における文字列表示処理Ａでは、マルチ画面１０Ａの一部である画面１０−１１〜１０−１０１を対象として、前述の前提Ｘａ２における文字列表示処理Ａが行われる。すなわち、前提Ｘａ４における文字列表示処理Ａでは、マルチ画面１０Ａの一部を利用して、表示不能状態の画面１０−２１が存在する場合において、前述した前提Ｘａ２における文字列表示処理Ａが行われる。この前提Ｘａ４における文字列表示処理Ａにおいても、前提Ｘａ２における文字列表示処理Ａと同じ効果が得られる。
【０１４１】
＜実施の形態３＞
次に、本実施の形態に係るマルチディスプレイシステムの処理について説明する。本実施の形態に係るマルチディスプレイシステムは、図１のマルチディスプレイシステム１０００である。すなわち、本実施の形態に係る画像処理装置およびマルチディスプレイは、それぞれ、実施の形態１の画像処理装置２００およびマルチディスプレイ５００である。
【０１４２】
本実施の形態に係る画像処理装置２００の画像処理部２３０は、複数の動作モードに関連付けられた処理を行う。以下においては、実施の形態１のように、表示不能状態の画面１０が存在する状態のマルチ画面１０Ａにおいて、当該表示不能状態の画面１０をスキップして（除いて）、文字列を表示させるための処理が関連付けられた動作モードを、「スキップモード」ともいう。スキップモードは、ステップＳ２１０，Ｓ１４０，Ｓ１５０の処理が関連付けられた動作モードである。
【０１４３】
また、以下においては、実施の形態２のように、表示不能状態の画面１０が存在する状態のマルチ画面１０Ａにおいて、最大表示対象領域のみに文字列を表示させるための処理が関連付けられた動作モードを、「幅短縮モード」ともいう。幅短縮モードは、表示対象領域の幅を短縮するモードである。幅短縮モードは、ステップＳ２１０，Ｓ２２０，Ｓ１４０，Ｓ１５０の処理が関連付けられた動作モードである。
【０１４４】
本実施の形態に係る画像処理部２３０は、詳細は後述するが、表示不能状態の画面１０の位置に基づいて、動作モードであるスキップモードおよび幅短縮モードのいずれかに関連付けられた処理を行う。すなわち、本実施の形態では、表示不能状態の画面１０の位置に基づいて、画像処理部２３０が行う処理（動作モード）が切り替えられる。以下においては、本実施の形態において行われる処理を、「文字列表示処理Ｂ」ともいう。
【０１４５】
図１６は、本発明の実施の形態３に係る文字列表示処理Ｂのフローチャートである。図１６において、図９のステップ番号と同じステップ番号の処理は、実施の形態２で説明した処理と同様な処理が行われるので詳細な説明は繰り返さない。文字列表示処理Ｂは、図９の文字列表示処理Ａと比較して、ステップＳ２００Ａの代わりにステップＳ２００Ｂが行われる点が異なる。ステップＳ２００Ｂについては後述する。なお、文字列表示処理Ｂは、文字列表示処理Ａと同様、何度も繰り返し行われる。
【０１４６】
本実施の形態では、実施の形態２と同様、前述の前提Ａ１および前提Ｘａ１を考慮する。なお、前提Ｘａ１では、テロップ情報ＴＪは、図１１のテロップ情報ＴＪである。当該前提Ｘａ１における画像生成処理Ｂでは、実施の形態２と同様、ステップＳ１１０，Ｓ１２０，Ｓ１３０，Ｓ１４０が行われる。これにより、ステップＳ１４０では、実施の形態２と同様、画像処理部２３０が、図１７（ａ）に示される文字画像Ｇ２ａ，Ｇ２ｂ，Ｇ２ｃ，Ｇ２ｄ，Ｇ２ｅ，Ｇ２ｆ，Ｇ２ｇ，Ｇ２ｈ，Ｇ２ｉ，Ｇ２ｊを生成する。前提Ｘａ１における画像生成処理Ｂでは、画像処理部２３０は、画面１０−１１〜１０−１０１にわたって表示対象文字列を表示するための画像（文字画像）を生成する。
【０１４７】
そして、実施の形態２と同様、ステップＳ１５０が行われることにより、画面１０−１１〜１０−１０１に、それぞれ、文字画像Ｇ２ａ〜Ｇ２ｊが表示される。
【０１４８】
次に、表示不能状態の画面１０が存在する場合の処理について説明する。ここで、前提Ａ１を考慮した前提Ｘｂ２を考慮する。前提Ｘｂ２は、実施の形態２の前提Ｘａ２と比較して、画面１０−５１の画面状態が、表示可能状態から表示不能状態に変化する点が異なる。なお、前提Ｘｂ２のそれ以外の点は、前提Ｘａ２と同じである。
【０１４９】
前提Ｘｂ２では、画面１０−５１の画面状態が、表示可能状態から表示不能状態に変化する。この場合、状態管理部２２０は、画面状態の変化のタイミングに応じて、最新の画面状態情報ＳＪにおいて、画面特定番号“５１”を示す状態情報Ｓの画面状態を、表示可能状態から表示不能状態に変更することにより、画面状態情報ＳＪを更新する。その結果、更新後の画面状態情報ＳＪは、図１８の画面状態情報ＳＪである。すなわち、画面１０−１１〜１０−４１，１０−６１〜１０−１０１の画面状態は、表示可能状態である。
【０１５０】
また、前提Ｘｂ２では、テロップ情報管理部２１０は、図１１のテロップ情報ＴＪを管理（記憶）している。
【０１５１】
上記の前提Ｘｂ２における文字列表示処理Ｂでは、ステップＳ１１０、Ｓ１２０の処理が行われた後、ステップＳ１３０でＹＥＳと判定され、処理はステップＳ２００Ｂへ移行する。このとき、画像処理部２３０は、テロップ情報管理部２１０から図１１のテロップ情報ＴＪを取得しており、状態管理部２２０から図１８の画面状態情報ＳＪを取得している。なお、図１８の画面状態情報ＳＪは、表示不能画面特定番号“５１”を示す。
【０１５２】
なお、上記の前提Ｘｂ２において、仮に、後述のステップＳ２００Ｂの処理が行われない場合、図１７（ｂ）のように、画面１０−５１に文字画像Ｇ２ｅが表示されなくなる。この場合、表示対象文字列を構成する全ての文字のうち、表示されない文字が発生する。そこで、本実施の形態では、以下のステップＳ２００Ｂの処理を行うことにより、表示不能状態の画面１０が存在する場合でも、表示対象文字列の一部が表示されないことを防ぐ。
【０１５３】
ステップＳ２００Ｂでは、更新処理Ｂが行われる。ステップＳ２００Ｂは、ステップＳ２００Ａと比較して、さらに、ステップＳ２１１を含む点が異なる。ステップＳ２００Ｂのそれ以外の処理は、ステップＳ２００Ａと同様なので詳細な説明は繰り返さない。
【０１５４】
なお、ステップＳ２００Ｂは、マルチ画面１０Ａを構成するｍ個の画面１０の少なくとも１つの画面１０の状態が、表示可能状態から表示不能状態に変化することにより当該表示不能状態の画面１０が存在する場合に行われる。
【０１５５】
ステップＳ２１０では、実施の形態１と同様、番号削除処理が行われる。なお、前提Ｘｂ２における番号削除処理では、画像処理部２３０が、図１１のテロップ情報ＴＪに示される複数の対象画面特定番号（１１〜１０１）のうち、表示不能画面特定番号（５１）と同じ対象画面特定番号を削除する。これにより、テロップ情報ＴＪが更新される。更新後のテロップ情報ＴＪは、図１９のテロップ情報ＴＪである。
【０１５６】
これにより、前提Ｘｂ２では、画面１０−１１〜１０−１０１で構成される表示対象領域が、画面１０−５１を境界として、表示対象領域ＤＬ，ＤＲに分割される。当該表示対象領域ＤＬは、画面１０−１１〜１０−４１で構成される領域である。当該表示対象領域ＤＲは、画面１０−６１〜１０−１０１で構成される領域である。ステップＳ２１０の処理の後、ステップＳ２１１の処理が行われる。
【０１５７】
ステップＳ２１１では、画像処理部２３０が、表示不能状態の画面１０の位置が、条件Ｊ１を満たすか否かを判定する。
【０１５８】
条件Ｊ１は、一例として、表示不能状態の画面１０の位置が、マルチ画面１０Ａの左端または右端の画面１０から２番目の画面の位置であるという条件である。マルチ画面１０Ａの左端の画面１０から２番目の画面は、画面１０−２１である。マルチ画面１０Ａの右端の画面１０から２番目の画面は、画面１０−９１である。
【０１５９】
なお、条件Ｊ１は、上記内容に限定されない。条件Ｊ１は、例えば、表示不能状態の画面１０の位置が、マルチ画面１０Ａの左端または右端の画面１０以外であって、かつ、当該左端または右端の画面から、マルチ画面１０Ａの幅の２０％以内に存在する画面１０の位置であるという条件であってもよい。
【０１６０】
ステップＳ２１１においてＹＥＳならば、処理はステップＳ２２０へ移行する。一方、ステップＳ２１１においてＮＯならば、処理はステップＳ１４０へ移行する。
【０１６１】
前提Ｘｂ２では、表示不能状態の画面１０は、画面１０−５１であるため、ステップＳ２１１でＮＯと判定され、ステップＳ１４０の処理が行われる。
【０１６２】
次に、実施の形態１と同様、ステップＳ１４０の画像生成処理Ｎが行われる。前提Ｘｂ２における画像生成処理Ｎでは、画像処理部２３０が、ｎ個の画面１０の位置に基づいて、当該ｎ個の画面１０にわたって表示対象文字列を表示するための画像を生成する。言い換えれば、画像処理部２３０は、表示不能状態の画面１０−５１の位置に基づいて、当該ｎ個の画面１０における表示対象文字列の表示形態を決定する。当該ｎ個の画面１０は、表示対象文字列の表示対象とされている表示可能状態の画面である。すなわち、当該ｎ個の画面１０は、画面１０−１１〜１０−４１，１０−６１〜１０−１０１である。
【０１６３】
これにより、画像処理部２３０は、画面１０−１１〜１０−４１，１０−６１〜１０−１０１において、表示対象文字列を構成する複数の文字が繋がっているように（連続して）表示するための文字画像を生成する。
【０１６４】
文字列表示処理Ｂにおいて、ステップＳ１３０，Ｓ２１０，Ｓ２１１，Ｓ１４０が行われることにより、以下の処理が行われる。当該処理では、画像処理部２３０が、ｍ個の画面１０の少なくとも１つの画面１０の状態が、表示可能状態から表示不能状態に変化することにより当該表示不能状態の画面１０が存在する場合、当該表示不能状態の画面１０の位置に基づいて、ｎ個の画面１０における表示対象文字列の表示形態を決定する。
【０１６５】
そして、実施の形態１と同様、ステップＳ１５０が行われることにより、図１７（ｃ）のように、画面１０−１１〜１０−４１，１０−６１〜１０−１０１において、表示対象文字列を構成する複数の文字が繋がっているように表示される。すなわち、表示不能状態の画面１０−５１をスキップして、表示対象文字列が表示される。
【０１６６】
次に、実施の形態２において前述した前提Ｘａ２における文字列表示処理Ｂについて説明する。前提Ｘａ２では、画面１０−２１の画面状態が、表示可能状態から表示不能状態に変化する。この場合の状態管理部２２０の処理は、実施の形態２と同様なので詳細な説明は繰り返さない。これにより、状態管理部２２０は、図１３の画面状態情報ＳＪを管理（記憶）している。
【０１６７】
前提Ｘａ２における文字列表示処理Ｂでは、実施の形態２と同様、ステップＳ１１０、Ｓ１２０の処理が行われた後、ステップＳ１３０でＹＥＳと判定され、処理はステップＳ２００Ｂへ移行する。そして、ステップＳ２１０が行われた後、ステップＳ２１１でＹＥＳと判定され、処理はステップＳ２２０へ移行する。
【０１６８】
そして、ステップＳ２２０では、実施の形態２と同様に、領域サイズ対応処理において表示対象設定処理が行われる。すなわち、画像処理部２３０が、表示可能状態のｒ個の画面１０のうち、最大表示対象領域を形成する隣接するｓ個の画面を、表示対象文字列の表示対象の画面に設定する。
【０１６９】
次に、実施の形態２と同様、前提Ｘａ２におけるステップＳ１４０が行われる。これにより、画像処理部２３０が、ｓ個の画面１０（画面１０−３１〜１０−１０１）の位置に基づいて、当該ｓ個の画面１０（画面１０−３１〜１０−１０１）にわたって表示対象文字列を表示するための画像を生成する。すなわち、画像処理部２３０は、表示不能状態の画面１０−２１の位置に基づいて、当該ｓ個の画面１０における表示対象文字列の表示形態を決定する。
【０１７０】
文字列表示処理Ｂにおいて、ステップＳ１３０，Ｓ２１０，Ｓ２１１，Ｓ２２０，Ｓ１４０が行われることにより、以下の処理が行われる。当該処理では、画像処理部２３０が、ｍ個の画面１０の少なくとも１つの画面１０の状態が、表示可能状態から表示不能状態に変化することにより当該表示不能状態の画面１０が存在する場合、当該表示不能状態の画面１０の位置に基づいて、ｎ個の画面１０における表示対象文字列の表示形態を決定する。
【０１７１】
そして、実施の形態１と同様、ステップＳ１５０が行われることにより、図１０（ｃ）のように、画面１０−３１〜１０−１０１のみにおいて、表示対象文字列を構成する複数の文字が繋がっているように表示される。
【０１７２】
以下においては、スキップモードおよび幅短縮モードのいずれかに関連付けられた処理が行われるようにするステップＳ２００Ｂが関連付けられた動作モードを、「自動判定モード」ともいう。具体的には、自動判定モードには、ステップＳ２００Ｂ，Ｓ１４０，Ｓ１５０が関連付けられる。
【０１７３】
本実施の形態の画像処理部２３０は、ステップＳ１３０でＹＥＳと判定された場合、自動判定モードに関連付けられた処理（ステップＳ２００Ｂ）を行う。これにより、ステップＳ２１１の判定結果により、スキップモードおよび幅短縮モードのいずれかに関連付けられた処理が行われる。すなわち、自動判定モードは、表示不能状態の画面１０の位置に基づいて、動作モードに関連付けられた、画像処理部２３０が行う処理を自動的に決定するモードである。
【０１７４】
以上、本実施の形態によれば、ｍ個の画面１０の少なくとも１つの画面１０の状態が、表示可能状態から表示不能状態に変化することにより当該表示不能状態の画面が存在する場合、以下の処理が行われる。当該処理では、画像処理部２３０が、当該表示不能状態の画面１０の位置に基づいて、表示対象文字列の表示形態を自動的に決定する。これにより、ユーザーが、文字列の表示について特別な操作をすることなく、適切な表示形態で表示対象文字列を表示でき、かつ、表示対象文字列が示す情報が欠落することを防ぐことができる。
【０１７５】
なお、文字列表示処理Ｂは、実施の形態１，２と同様、マルチ画面１０Ａの一部を使用して行われてもよい。例えば、前述の前提Ｘｎ３、前提Ｘｎ４、前提Ｘａ３および前提Ｘａ４のいずれかにおいて、文字列表示処理Ｂが行われてもよい。
【０１７６】
＜実施の形態４＞
次に、本実施の形態に係るマルチディスプレイシステムの処理について説明する。本実施の形態に係るマルチディスプレイシステムは、図１のマルチディスプレイシステム１０００である。すなわち、本実施の形態に係る画像処理装置およびマルチディスプレイは、それぞれ、実施の形態１の画像処理装置２００およびマルチディスプレイ５００である。
【０１７７】
本実施の形態では、詳細は後述するが、表示対象文字列の表示形態をユーザーに選択させるための処理を行う。本実施の形態に係る画像処理装置２００の画像処理部２３０は、複数の動作モードのいずれかに関連付けられた処理を行う。当該複数の動作モードは、後述の選択モードを含む。以下においては、本実施の形態において行われる処理を、「文字列表示処理Ｃ」ともいう。
【０１７８】
図２０は、本発明の実施の形態４に係る文字列表示処理Ｃのフローチャートである。図２０において、図１６のステップ番号と同じステップ番号の処理は、実施の形態３で説明した処理と同様な処理が行われるので詳細な説明は繰り返さない。文字列表示処理Ｃは、図１６の文字列表示処理Ｂと比較して、ステップＳ２００Ｂの代わりにステップＳ２００Ｃが行われる点が異なる。ステップＳ２００Ｃについては後述する。なお、文字列表示処理Ｃは、文字列表示処理Ａと同様、何度も繰り返し行われる。
【０１７９】
本実施の形態では、実施の形態２と同様、前述の前提Ａ１および前提Ｘａ１を考慮する。なお、前提Ｘａ１では、テロップ情報ＴＪは、図１１のテロップ情報ＴＪである。当該前提Ｘａ１における画像生成処理Ｃでは、実施の形態２と同様、ステップＳ１１０，Ｓ１２０，Ｓ１３０，Ｓ１４０，Ｓ１５０が行われる。これにより、図１７（ａ）のように、文字画像が表示される。
【０１８０】
次に、表示不能状態の画面１０が存在する場合の処理について説明する。ここで、実施の形態２と同様、前提Ａ１を考慮した前提Ｘｃ２を考慮する。前提Ｘｃ２では、画像生成処理Ｃが２回以上行われる。前提Ｘｃ２では、１回目の画像生成処理Ｃは、前提Ｘａ１における１回目の画像生成処理Ｃである。
【０１８１】
また、前提Ｘｃ２では、マルチ画面１０Ａにおいて表示不能状態の画面１０が存在する。具体的には、前提Ｘａ１における１回目の画像生成処理ＣのステップＳ１２０により画像処理部２３０が画面状態情報ＳＪを取得した直後から、２回目の画像生成処理Ｃが開始される前までの期間に、画面１０−５１の画面状態が、表示可能状態から表示不能状態に変化する。
【０１８２】
この場合、状態管理部２２０は、画面状態の変化のタイミングに応じて、最新の画面状態情報ＳＪにおいて、画面特定番号“５１”を示す状態情報Ｓの画面状態を、表示可能状態から表示不能状態に変更することにより、画面状態情報ＳＪを更新する。その結果、更新後の画面状態情報ＳＪは、図１８の画面状態情報ＳＪである。
【０１８３】
以下においては、ｋ（２以上の自然数）回目の画像生成処理ＣのステップＳ１２０により画像処理部２３０が取得した最新の画面状態情報ＳＪを、「最新画面状態情報」ともいう。また、以下においては、（ｋ−１）回目の画像生成処理ＣのステップＳ１２０により画像処理部２３０が取得した画面状態情報ＳＪを、「前回画面状態情報」ともいう。
【０１８４】
なお、本実施の形態では、画像処理部２３０は、常に、最新画面状態情報および前回画面状態情報を記憶している。なお、画像生成処理ＣのステップＳ１２０が行われる毎に、画像処理部２３０が記憶している最新画面状態情報および前回画面状態情報は変化する。
【０１８５】
また、前提Ｘｃ２では、画像処理部２３０が記憶している最新画面状態情報は、図１８の画面状態情報ＳＪである。また、前提Ｘｃ２では、画像処理部２３０が記憶している前回画面状態情報は、図１２の画面状態情報ＳＪである。
【０１８６】
また、前提Ｘｃ２では、テロップ情報管理部２１０は、図１１のテロップ情報ＴＪを管理（記憶）している。
【０１８７】
上記の前提Ｘｃ２における２回目の文字列表示処理Ｃでは、ステップＳ１１０、Ｓ１２０の処理が行われた後、ステップＳ１３０でＹＥＳと判定され、処理はステップＳ２００Ｃへ移行する。このとき、画像処理部２３０は、テロップ情報管理部２１０から図１１のテロップ情報ＴＪを取得しており、状態管理部２２０から、最新画面状態情報として、図１８の画面状態情報ＳＪを取得している。なお、図１８の画面状態情報ＳＪは、表示不能画面特定番号“５１”を示す。また、画像処理部２３０は、最新画面状態情報（図１８の画面状態情報ＳＪ）に加え、前回画面状態情報として、図１２の画面状態情報ＳＪを記憶している。
【０１８８】
ステップＳ２００Ｃでは、選択対応処理Ｃが行われる。選択対応処理Ｃは、ステップＳ３０１，Ｓ３０２，Ｓ２０１Ｃを含む。選択対応処理Ｃでは、まず、ステップＳ３０１が行われる。
【０１８９】
なお、ステップＳ２００Ｃは、マルチ画面１０Ａを構成するｍ個の画面１０の少なくとも１つの画面１０の状態が、表示可能状態から表示不能状態に変化することにより当該表示不能状態の画面１０が存在する場合に行われる。
【０１９０】
ステップＳ３０１では、画面状態情報が変化したか否かが判定される。具体的には、画像処理部２３０が、最新画面状態情報と前回画面状態情報とが異なるか否かを判定する。ステップＳ３０１においてＹＥＳならば、処理はステップＳ３０２へ移行する。一方、ステップＳ３０１においてＮＯならば、処理は後述のステップＳ２０１Ｃへ移行する。
【０１９１】
前提Ｘｃ２におけるステップＳ３０１では、画像処理部２３０が、最新画面状態情報（図１８の画面状態情報ＳＪ）と前回画面状態情報（図１２の画面状態情報ＳＪ）とが異なると判定することにより、処理はステップＳ３０２へ移行する。
【０１９２】
ステップＳ３０２では、選択対応処理が行われる。選択対応処理では、画像処理部２３０が、マルチディスプレイ５００がマルチ画面１０Ａに選択要求画像Ｇ１０を表示するように、マルチディスプレイ５００を制御する。選択要求画像Ｇ１０は、例えば、図２１の選択要求画像Ｇ１０である。
【０１９３】
図２１を参照して、選択要求画像Ｇ１０は、一例として、動作モードであるスキップモードおよび幅短縮モードのいずれかをユーザーに選択させるための画像である。なお、スキップモードにおける表示対象文字列の表示形態と、幅短縮モードにおける表示対象文字列の表示形態とは異なる。すなわち、選択要求画像Ｇ１０は、表示対象文字列の複数の表示形態のいずれかをユーザーに選択させるためのモード選択画像である。
【０１９４】
すなわち、ステップＳ２００Ｃに含まれるステップＳ３０２は、ユーザーがユーザーインターフェース３００を使用して、表示対象文字列の複数の表示形態のいずれかを選択可能とするための処理である。
【０１９５】
なお、選択要求画像Ｇ１０には、一例として、プレビュー画像Ｇ１１が示される。プレビュー画像Ｇ１１は、選択された動作モードによりマルチ画面１０Ａに表示される表示対象文字列の表示形態を示す。図２１では、一例として、プレビュー画像Ｇ１１は、スキップモードが選択された状態における表示対象文字列の表示形態を示す。
【０１９６】
以下においては、ユーザーが、ユーザーインターフェース３００を操作して、選択要求画像Ｇ１０に表示されている複数の動作モードのいずれかを選択するための操作を、「選択操作Ｍａ」ともいう。当該複数の動作モード（スキップモード、幅短縮モード）は、それぞれ、表示対象文字列の複数の表示形態に対応する。すなわち、選択操作Ｍａは、表示対象文字列の複数の表示形態のいずれかを選択するための選択操作である。
【０１９７】
再び、図２０を参照して、選択対応処理では、選択要求画像Ｇ１０が表示されている状態において選択操作Ｍａが行われた場合、ユーザーインターフェース３００は、当該選択操作Ｍａを受付ける。そして、ユーザーインターフェース３００は、当該選択操作Ｍａにより選択された動作モード（表示形態）を示す選択指示Ｓａを、画像処理部２３０へ送信する。すなわち、画像処理装置２００の画像処理部２３０は、ユーザーインターフェース３００から、選択操作Ｍａにより選択された動作モード（表示形態）を示す選択指示Ｓａを受信する。そして、処理はステップＳ２０１Ｃへ移行する。
【０１９８】
以下においては、選択指示Ｓａが示す動作モードを、「選択動作モードＡ」ともいう。
【０１９９】
ステップＳ２０１Ｃでは、更新処理Ｃが行われる。ステップＳ２０１Ｃは、図１６のステップＳ２００Ｂと比較して、ステップＳ２１１の代わりにステップＳ２１１Ｃが行われる点が異なる。ステップＳ２０１Ｃのそれ以外の処理は、ステップＳ２００Ｂと同様なので詳細な説明は繰り返さない。Ｓ２０１Ｃでは、まず、ステップＳ２１０の処理が行われ、その後、ステップＳ２１１Ｃの処理が行われる。
【０２００】
ステップＳ２１１Ｃでは、選択された動作モードに基づいて、処理の移行先が決定される。具体的には、選択動作モードＡがスキップモードである場合、処理は前述のステップＳ１４０へ移行する。一方、選択動作モードＡが幅短縮モードである場合、処理は前述のステップＳ２２０へ移行する。
【０２０１】
ここで、一例として、前提Ｘｃ２におけるステップＳ３０２の選択対応処理において、ユーザーインターフェース３００が、スキップモードを選択するための選択操作Ｍａを受付けたとする。この場合、画像処理部２３０は、スキップモードを示す選択指示Ｓａを受信する。そして、前述と同様、ステップＳ２１０の処理が行われ、ステップＳ２１１Ｃにより処理はステップＳ１４０へ移行する。その後、前述と同様、ステップＳ１５０が行われる。
【０２０２】
これにより、例えば、図１７（ｃ）のように、表示不能状態の画面１０−５１のみが除かれた画面１０−１１〜１０−４１，１０−６１〜１０−１０１において、表示対象文字列を構成する複数の文字が繋がっているように表示される。すなわち、表示不能状態の画面１０−５１をスキップして、表示対象文字列が表示される。
【０２０３】
また、以下の前提Ｘｃ３を考慮する。前提Ｘｃ３は、前提Ｘｃ２と比較して、画面状態が、表示可能状態から表示不能状態に変化する画面１０が、画面１０−２１である点のみがことなる。前提Ｘｃ３のそれ以外の点は、前提Ｘｃ２と同じである。
【０２０４】
ここで、他の例として、前提Ｘｃ３におけるステップＳ３０２の選択対応処理において、ユーザーインターフェース３００が、幅短縮モードを選択するための選択操作Ｍａを受付けたとする。この場合、画像処理部２３０は、幅短縮モードを示す選択指示Ｓａを受信する。そして、前述と同様、ステップＳ２１０の処理が行われ、ステップＳ２１１Ｃにより処理はステップＳ２２０へ移行する。その後、前述と同様、ステップＳ１４０，Ｓ１５０が行われる。
【０２０５】
これにより、実施の形態２と同様、例えば、図１０（ｃ）のように、画面１０−３１〜１０−１０１のみにおいて、表示対象文字列を構成する複数の文字が繋がっているように表示される。すなわち、表示対象文字列の表示領域が短縮される。
【０２０６】
以下においては、文字列表示処理ＣのステップＳ２００Ｃが関連付けられた動作モードを、「選択モード」という。具体的には、選択モードには、ステップＳ２００Ｃ，Ｓ１４０，Ｓ１５０が関連付けられる。
【０２０７】
選択モードに関連付けられたステップＳ２００Ｃは、前述したように、表示対象文字列の複数の表示形態のいずれかを選択可能とするための処理であるステップＳ３０２を含む。
【０２０８】
本実施の形態の画像処理部２３０は、ステップＳ１３０でＹＥＳと判定された場合、選択モードに関連付けられた処理（ステップＳ２００Ｃ）を行う。また、ステップＳ２００Ｃに含まれるステップＳ３０１でＹＥＳと判定された場合、以下の処理が行われる。当該処理では、画像処理部２３０が、ユーザーがユーザーインターフェース３００を使用して、表示対象文字列の複数の表示形態のいずれかを選択可能とするための処理であるステップＳ３０２を行う。ステップＳ２００Ｃに含まれるステップＳ３０２は、選択モードに関連付けられた処理である。
【０２０９】
以上、本実施の形態によれば、ｍ個の画面１０の少なくとも１つの画面１０の状態が、表示可能状態から表示不能状態に変化することにより当該表示不能状態の画面１０が存在する場合、表示対象文字列の表示形態を決める動作モードを、ユーザーに選択させることにより、ユーザーが所望する表示形態により当該表示対象文字列を表示することができる。ユーザーが所望する表示形態による表示対象文字列の表示は、例えば、表示不能状態の画面１０の位置または数に応じて行われる。
【０２１０】
また、ユーザーが所望する表示形態による表示対象文字列の表示は、例えば、画面状態が表示不能状態から表示可能状態に復帰した画面１０の位置または数に応じて行われる。また、ユーザーが所望する表示形態による表示対象文字列の表示は、例えば、画面状態が変化した場合に表示されている情報の内容に応じて行われる。
【０２１１】
なお、文字列表示処理Ｃは、実施の形態１，２と同様、マルチ画面１０Ａの一部を使用して行われてもよい。すなわち、文字列表示処理Ｃは、前述の前提Ｘｎ３、前提Ｘｎ４、前提Ｘａ３および前提Ｘａ４のいずれかで示される構成のマルチディスプレイ５００に対して、行われてもよい。
【０２１２】
＜実施の形態５＞
次に、本実施の形態に係るマルチディスプレイシステムの処理について説明する。本実施の形態に係るマルチディスプレイシステムは、図１のマルチディスプレイシステム１０００である。すなわち、本実施の形態に係る画像処理装置およびマルチディスプレイは、それぞれ、実施の形態１の画像処理装置２００およびマルチディスプレイ５００である。
【０２１３】
本実施の形態のマルチディスプレイ５００は、例えば、前述の前提Ａ１の構成であるとする。本実施の形態では、詳細は後述するが、表示不能状態の画面１０が存在する場合に行われる、各種の処理が関連付けられた動作モードを、あらかじめユーザーに選択させる。以下においては、本実施の形態において行われる処理を、「文字列表示処理Ｄ」ともいう。
【０２１４】
図２２は、本発明の実施の形態５に係る文字列表示処理Ｄのフローチャートである。図２２において、図５、図９、図１６および図２０のステップ番号と同じステップ番号の処理は、実施の形態１〜４で説明した処理と同様な処理が行われるので詳細な説明は繰り返さない。文字列表示処理Ｄは、図５の文字列表示処理Ｎと比較して、ステップＳ２００の代わりに、ステップＳ４０１，Ｓ２００，Ｓ２００Ａ，Ｓ２００Ｂ，Ｓ２００Ｃが行われる点が異なる。なお、文字列表示処理Ｄは、文字列表示処理Ａと同様、何度も繰り返し行われる。
【０２１５】
文字列表示処理Ｄは、表示不能状態の画面１０が存在する場合、以下の動作モード選択処理により設定された動作モードに応じて、行われる処理が異なる。動作モード選択処理は、１回目の文字列表示処理Ｄが行われる前に行われる。
【０２１６】
動作モード選択処理では、画像処理部２３０が、マルチディスプレイ５００がマルチ画面１０Ａにモード選択画像Ｇ２０を表示するように、マルチディスプレイ５００を制御する。モード選択画像Ｇ２０は、例えば、図２３のモード選択画像Ｇ２０である。
【０２１７】
図２３を参照して、モード選択画像Ｇ２０は、一例として、動作モードであるスキップモード、幅短縮モード、自動判定モードおよび選択モードのいずれかをユーザーに予め選択させるための画像である。
【０２１８】
以下においては、ユーザーが、ユーザーインターフェース３００を操作して、モード選択画像Ｇ２０に表示されている複数の動作モードのいずれかを選択するための操作を、「選択操作Ｍｂ」ともいう。選択操作Ｍｂは、一例として、スキップモード、幅短縮モード、自動判定モードおよび選択モードのいずれかを選択するための操作である。
【０２１９】
再び、図２３を参照して、動作モード選択処理では、モード選択画像Ｇ２０が表示されている状態において、選択操作Ｍｂが行われた場合、ユーザーインターフェース３００は、当該選択操作Ｍｂを受付ける。そして、ユーザーインターフェース３００は、当該選択操作Ｍｂにより選択された当該動作モードを示す選択指示Ｓｂを、画像処理部２３０へ送信する。すなわち、画像処理装置２００の画像処理部２３０は、ユーザーインターフェース３００から、選択操作Ｍｂにより選択された動作モードを示す選択指示Ｓｂを受信する。そして、画像処理部２３０は、選択指示Ｓｂを記憶する。これにより、動作モード選択処理は終了する。
【０２２０】
上記の動作モード選択処理により、文字列表示処理Ｄが開始される前に、ユーザーにより、動作モードが予め選択される。以下においては、動作モード選択処理において、選択操作Ｍｂにより選択された動作モードを、「初期選択動作モード」ともいう。すなわち、選択指示Ｓｂは、初期選択動作モードを示す。初期選択動作モードは、一例として、スキップモード、幅短縮モード、自動判定モードおよび選択モードのいずれかである。
【０２２１】
次に、前述の文字列表示処理Ｄについて説明する。文字列表示処理Ｄでは、ステップＳ１１０，Ｓ１２０の処理の後、ステップＳ１３０でＹＥＳと判定された場合、ステップＳ４０１の処理が行われる。すなわち、表示不能状態の画面１０が存在する場合、ステップＳ４０１の処理が行われる。
【０２２２】
ステップＳ４０１では、選択指示Ｓｂが示す初期選択動作モードに基づいて、処理の移行先が決定される。具体的には、初期選択動作モードがスキップモードである場合、処理はステップＳ２００へ移行する。ステップＳ２００は、実施の形態１の図５のステップＳ２００と同じ処理である。
【０２２３】
また、初期選択動作モードが幅短縮モードである場合、処理はステップＳ２００Ａへ移行する。ステップＳ２００Ａは、実施の形態２の図９のステップＳ２００Ａと同じ処理である。
【０２２４】
また、初期選択動作モードが自動判定モードである場合、処理はステップＳ２００Ｂへ移行する。ステップＳ２００Ｂは、実施の形態３の図１６のステップＳ２００Ｂと同じ処理である。
【０２２５】
また、初期選択動作モードが選択モードである場合、処理はステップＳ２００Ｃへ移行する。ステップＳ２００Ｃは、実施の形態４の図２０のステップＳ２００Ｃと同じ処理である。
【０２２６】
ここで、一例として、表示不能状態の画面１０が存在し、初期選択動作モードがスキップモードであるとする。この場合、文字列表示処理Ｄにより、実施の形態１の図５と同様、画像処理部２３０は、スキップモードに関連付けられた、ステップＳ２００に含まれるステップＳ２１０，図２２のステップＳ１４０，Ｓ１５０の処理を行う。これにより、実施の形態１と同様、表示不能状態の画面１０をスキップして（除いて）、表示対象文字列が、表示可能状態の複数の画面１０にわたって表示される。
【０２２７】
また、他の例として、表示不能状態の画面１０が存在し、初期選択動作モードが幅短縮モードであるとする。この場合、文字列表示処理Ｄにより、実施の形態２の図９と同様、画像処理部２３０は、幅短縮モードに関連付けられた、ステップＳ２１０，Ｓ２２０，Ｓ１４０，Ｓ１５０の処理を行う。これにより、実施の形態２と同様、例えば、図１０（ｃ）のように、画面１０−３１〜１０−１０１のみにおいて、表示対象文字列を構成する複数の文字が繋がっているように表示される。すなわち、表示対象文字列の表示領域が短縮される。
【０２２８】
また、他の例として、表示不能状態の画面１０が存在し、初期選択動作モードが自動判定モードであるとする。また、実施の形態３において前述した前提Ｘｂ２または前提Ｘａ２において文字列表示処理Ｄが行われるとする。
【０２２９】
この場合、文字列表示処理Ｄにより、実施の形態３の図１６と同様、画像処理部２３０は、自動判定モードに関連付けられた、ステップＳ２００Ｂ，Ｓ１４０，Ｓ１５０の処理を行う。これにより、実施の形態３と同様、画像処理部２３０は、表示不能状態の画面１０の位置に基づいて、スキップモードおよび幅短縮モードのいずれかに関連付けられた処理を行う。
【０２３０】
すなわち、表示不能状態の画面１０の位置に基づいて、表示対象文字列の表示形態が自動的に変更される。つまり、表示不能状態の画面１０を除いた表示可能状態の複数の画面１０にわたって表示対象文字列が表示される処理、または、表示対象文字列の表示領域が短縮される処理が行われる。
【０２３１】
また、他の例として、表示不能状態の画面１０が存在し、初期選択動作モードが選択モードであるとする。また、実施の形態４において前述した前提Ｘｃ２または前提Ｘｃ３において文字列表示処理Ｄが行われるとする。
【０２３２】
この場合、文字列表示処理Ｄにより、実施の形態４の図２０と同様、画像処理部２３０は、選択モードに関連付けられた、ステップＳ２００Ｃ，Ｓ１４０，Ｓ１５０の処理を行う。これにより、実施の形態４と同様、画面１０の状態が、表示可能状態から表示不能状態に変化した場合、表示対象文字列の複数の表示形態のいずれかをユーザーに選択させるためのモード選択画像（選択要求画像Ｇ１０）が表示される。そして、ユーザーが選択した表示形態で表示対象文字列が表示される。つまり、ユーザーが選択した表示形態に応じて、表示不能状態の画面１０を除いた表示可能状態の複数の画面１０にわたって表示対象文字列が表示される処理、または、表示対象文字列の表示領域が短縮される処理が行われる。
【０２３３】
以上説明したように、本実施の形態では、各種の処理が関連付けられた動作モードを、あらかじめユーザーに選択させる。そして、選択された動作モードに応じて、表示対象文字列の表示形態が決定される。これにより、本実施の形態では、様々なマルチディスプレイシステムの構成、表示内容、運用形態に応じて、表示対象文字列の適切な表示形態を提供できる。
【０２３４】
なお、文字列表示処理Ｄは、実施の形態１，２と同様、マルチ画面１０Ａの一部を使用して行われてもよい。すなわち、文字列表示処理Ｄは、前述の前提Ｘｎ３、前提Ｘｎ４、前提Ｘａ３および前提Ｘａ４のいずれかで示される構成のマルチディスプレイ５００に対して、行われてもよい。
【０２３５】
（その他の変形例）
以上、本発明に係る画像処理装置およびマルチディスプレイシステムについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０２３６】
また、画像処理装置２００は、図１に示される全ての構成要素を含まなくてもよい。すなわち、画像処理装置２００は、本発明の効果を実現できる最小限の構成要素のみを含めばよい。例えば、画像処理装置２００は、画像処理部２３０のみを含む構成としてもよい。
【０２３７】
また、本発明は、画像処理装置２００が備える特徴的な構成部の動作をステップとする画像処理方法として実現してもよい。また、本発明は、そのような画像処理方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２３８】
また、本発明に係る画像処理方法は、図５、図９、図１６、図２０および図２２のいずれかの処理の一部または全てに相当する。本発明に係る画像処理方法は、図５、図９、図１６、図２０および図２２のいずれかにおける、対応する全てのステップを必ずしも含む必要はない。すなわち、本発明に係る画像処理方法は、本発明の効果を実現できる最小限のステップのみを含めばよい。本発明に係る画像処理方法は、例えば、図５のステップＳ１１０，Ｓ１２０，Ｓ１３０、Ｓ２００，Ｓ１４０のみで構成されてもよい。
【０２３９】
また、画像処理方法における各ステップの実行される順序は、本発明を具体的に説明するための一例であり、上記以外の順序であってもよい。また、画像処理方法におけるステップの一部と、他のステップとは、互いに独立して並列に実行されてもよい。
【０２４０】
上記実施の形態で用いた全ての数値は、本発明を具体的に説明するための一例の数値である。すなわち、本発明は、上記実施の形態で用いた各数値に制限されない。
【０２４１】
なお、本発明は、その発明の範囲内において、各実施の形態を自由に組み合わせたり、各実施の形態を適宜、変形、省略することが可能である。
【符号の説明】
【０２４２】
２００  画像処理装置、２１０  テロップ情報管理部、２２０  状態管理部、２３０  画像処理部、３００  ユーザーインターフェース、５００  マルチディスプレイ、１０００  マルチディスプレイシステム。
【図１】
2016102917.tif 000003
【図２】
2016102917.tif 000004
【図３】
2016102917.tif 000005
【図４】
2016102917.tif 000006
【図５】
2016102917.tif 000007
【図６】
2016102917.tif 000008
【図７】
2016102917.tif 000009
【図８】
2016102917.tif 000010
【図９】
2016102917.tif 000011
【図１０】
2016102917.tif 000012
【図１１】
2016102917.tif 000013
【図１２】
2016102917.tif 000014
【図１３】
2016102917.tif 000015
【図１４】
2016102917.tif 000016
【図１５】
2016102917.tif 000017
【図１６】
2016102917.tif 000018
【図１７】
2016102917.tif 000019
【図１８】
2016102917.tif 000020
【図１９】
2016102917.tif 000021
【図２０】
2016102917.tif 000022
【図２１】
2016102917.tif 000023
【図２２】
2016102917.tif 000024
【図２３】
2016102917.tif 000025